(57)【要約】【課題】本発明は、テレビジョン制御システムを提供する。【解決手段】携帯式電子装置にインストールされてテレビジョンを制御するために用いられ、テレビジョンをパワーオンすると判断した場合、テレビジョンに信号を送信して、テレビジョンを開ける電源制御モジュールと、テレビジョンの型番を選択すると判断した場合、テレビジョン型番リストを提供して、ユーザーが選択したテレビジョン型番を受信し、携帯式電子装置の記憶装置からテレビジョン型番に対応するリモートコントロールソフトウェアを取る型番選択モジュールと、携帯式電子装置にリモートコントロールソフトウェアのリモートコントロールインターフェースを表示する表示モジュールと、ユーザーがリモートコントロールインターフェースのどのボタンを選択するかに基いて、対応する信号を送信してテレビジョンを制御する通信モジュールと、を備える。【選択図】図４
2014121090.tif 000002
【特許請求の範囲】
【請求項１】
携帯式電子装置にインストールされ且つ信号受信ユニットを有するテレビジョンを制御するために用いられるテレビジョン制御システムであって、
前記テレビジョンをパワーオンする又はパワーオフすると判断して、前記テレビジョンをパワーオンすると判断した場合、前記テレビジョンの信号受信ユニットに信号を送信して、前記テレビジョンの電源をＯＮにする電源制御モジュールと、
前記テレビジョンの型番を選択すると判断した場合、ユーザーにテレビジョン型番リストを提供して、ユーザーが前記テレビジョン型番リストから選択したテレビジョン型番を受信して、前記携帯式電子装置の記憶装置からユーザーが選択した前記テレビジョン型番に対応するリモートコントロールソフトウェアを実行する型番選択モジュールと、
前記携帯式電子装置の表示スクリーンに前記リモートコントロールソフトウェアのリモートコントロールインターフェースを表示する表示モジュールと、
ユーザーが前記リモートコントロールインターフェースのどのボタンを選択するかに基いて、前記テレビジョンの信号受信ユニットに対応する信号を送信して、前記テレビジョンを制御する通信モジュールと、
を備えることを特徴とするテレビジョン制御システム。
【請求項２】
前記型番選択モジュールは前記テレビジョンの型番を選択しないと判断した場合、前記表示モジュールは前記携帯式電子装置の表示スクリーンに黙認したリモートコントロールインターフェースを表示することを特徴とする請求項１に記載のテレビジョン制御システム。
【請求項３】
黙認した前記リモートコントロールインターフェースは、初期化設定する時に設定されたあるテレビジョン型番に対応するリモートコントロールインターフェース又はユーザーが前回に選択したテレビジョン型番に対応するリモートコントロールインターフェースであることを特徴とする請求項２に記載のテレビジョン制御システム。
【請求項４】
前記制御ユニットは、前記第一制御信号に基づいて前記タッチ表示ユニットを第一表示領域及び第二表示領域に分けて、前記第一表示領域は第一リモートコントロールインターフェースを表示し、前記第二表示領域は第二リモートコントロールインターフェースを表示することを特徴とする請求項３に記載のテレビジョン制御システム。
【請求項５】
携帯式電子装置にインストールされ且つ電源制御モジュール、型番選択モジュール、表示モジュール及び通信モジュールを備えるテレビジョン制御システムによって実施され、信号受信ユニットを有するテレビジョンを制御するために用いられるテレビジョン制御方法であって、
前記電源制御モジュールは、前記テレビジョンをパワーオンすると判断した場合、前記テレビジョンの信号受信ユニットに信号を送信して、前記テレビジョンの電源をＯＮにする電源制御ステップと、
前記型番選択モジュールは、テレビジョンの型番を選択すると判断した場合、ユーザーにテレビジョン型番リストを提供して、ユーザーが前記テレビジョン型番リストから選択したテレビジョン型番を受信して、前記携帯式電子装置の記憶装置からユーザーが選択した前記テレビジョン型番に対応するリモートコントロールソフトウェアを選択する型番選択ステップと、
前記表示モジュールは、前記携帯式電子装置の表示スクリーンに前記リモートコントロールソフトウェアのリモートコントロールインターフェースを表示する表示ステップと、
前記通信モジュールは、ユーザーが前記リモートコントロールインターフェースのどのボタンを選択するかに基いて、前記テレビジョンの信号受信ユニットに対応する信号を送信して、前記テレビジョンを制御する通信ステップと、
を備えることを特徴とするテレビジョン制御方法。
【請求項６】
前記表示ステップにおいて、前記型番選択モジュールが前記テレビジョンの型番を選択しないと判断した場合、前記表示モジュールは前記携帯式電子装置の表示スクリーンに黙認したリモートコントロールインターフェースを表示することを特徴とする請求項５に記載のテレビジョン制御方法。
【請求項７】
黙認した前記リモートコントロールインターフェースは、初期化設定する時に設定されたあるテレビジョン型番に対応するリモートコントロールインターフェース又はユーザーが前回に選択したテレビジョン型番に対応するリモートコントロールインターフェースであることを特徴とする請求項６に記載のテレビジョン制御方法。
【発明の詳細な説明】
【技術分野】
【０００１】
本発明は、テレビジョンをリモートコントロールする技術に関するものであり、特に携帯式電子装置を利用してテレビジョンをリモートコントロールすることができるテレビジョン制御システム及びその制御方法に関するものである。
【背景技術】
【０００２】
現在のテレビジョンは、イメージ又はビデオを表示するだけではなく、コンピューティング機能及びゲーム機能も発揮するので、ユーザーとテレビジョンとの間のコミュニケーション頻度は増加している。ユーザーはリモートコントロール装置のボタンを操作することによって、テレビ受像機に表示されるユーザーインターフェースに対して操作を行う。
【発明の概要】
【発明が解決しようとする課題】
【０００３】
しかし、今は人々の生活水準が向上して、客間ばかりでなく寝室やトイレにもテレビジョンを設置することができるが、複数のテレビジョンの生産メーカー及び型番などは異なるので、テレビジョン毎に対応するリモートコントロール装置を必要とするので、使用者に不便をもたらす。
【０００４】
本発明の目的は、上記問題を解決することであり、携帯式電子装置をテレビジョンの万能リモートコントロール装置として使用することができるテレビジョン制御システム及びその制御方法を提供することである。
【課題を解決するための手段】
【０００５】
本発明に係るテレビジョン制御システムは、携帯式電子装置にインストールされ且つ信号受信ユニットを有するテレビジョンを制御するために用いられ、テレビジョンをパワーオンする又はパワーオフすると判断して、テレビジョンをパワーオンすると判断した場合、テレビジョンの信号受信ユニットに信号を送信して、テレビジョンの電源をＯＮにする電源制御モジュールと、テレビジョンの型番を選択すると判断した場合、ユーザーにテレビジョン型番リストを提供して、ユーザーが前記テレビジョン型番リストから選択したテレビジョン型番を受信して、携帯式電子装置の記憶装置からユーザーが選択した前記テレビジョン型番に対応するリモートコントロールソフトウェアを選択する型番選択モジュールと、携帯式電子装置の表示スクリーンにリモートコントロールソフトウェアのリモートコントロールインターフェースを表示する表示モジュールと、ユーザーがリモートコントロールインターフェースのどのボタンを選択するかに基いて、テレビジョンの信号受信ユニットに対応する信号を送信して、テレビジョンを制御する通信モジュールと、を備える。
【０００６】
本発明に係るテレビジョン制御方法は、携帯式電子装置にインストールされ且つ電源制御モジュール、型番選択モジュール、表示モジュール及び通信モジュールを備えるテレビジョン制御システムによって実施され、信号受信ユニットを有するテレビジョンを制御するために用いられ、電源制御モジュールは、テレビジョンをパワーオンすると判断した場合、テレビジョンの信号受信ユニットに信号を送信して、テレビジョンの電源をＯＮにする電源制御ステップと、型番選択モジュールは、テレビジョンの型番を選択すると判断した場合、ユーザーにテレビジョン型番リストを提供して、ユーザーがテレビジョン型番リストから選択したテレビジョン型番を受信して、携帯式電子装置の記憶装置からユーザーが選択したテレビジョン型番に対応するリモートコントロールソフトウェアを選択する型番選択ステップと、表示モジュールは、携帯式電子装置の表示スクリーンにリモートコントロールソフトウェアのリモートコントロールインターフェースを表示する表示ステップと、通信モジュールは、ユーザーがリモートコントロールインターフェースのどのボタンを選択するかに基いて、テレビジョンの信号受信ユニットに対応する信号を送信して、テレビジョンを制御する通信ステップと、を備える。
【発明の効果】
【０００７】
本発明において、テレビジョン制御システム及びその制御方法は、携帯式電子装置をテレビジョンの万能リモートコントロールとして使用することができるので、非常に便利である。
【図面の簡単な説明】
【０００８】
【図１】本発明の実施形態に係るテレビジョン制御システムの使用状態図である。
【図２】本発明の実施形態に係るテレビジョン制御システムの実施環境を示す図である。
【図３】本発明の実施形態に係るテレビジョン制御システムの機能ブロック図である。
【図４】本発明の実施形態に係るテレビジョン制御方法のフローチャートである。
【図５】本発明の実施形態に係るテレビジョン制御システムのユーザーインターフェースを示す図である。
【発明を実施するための形態】
【０００９】
以下、図面を参照して、本発明の実施形態について説明する。
【００１０】
図１は、本発明の実施形態に係るテレビジョン制御システムの使用状態図である。本発明のテレビジョン制御システム１０は、携帯式電子装置１及びテレビジョン２からなる通信システムに応用される。携帯式電子装置１は、無線信号を送信することができるスマートフォン型電子装置である。無線信号は、ブルートゥース（登録商標）信号であることができる。テレビジョン２の生産メーカー及び型番は限定されない。テレビジョン２は、携帯式電子装置１からの信号を受信するために用いられる信号受信ユニット２０を備える。
【００１１】
図２は、本発明の実施形態に係るテレビジョン制御システムの実施環境を示す図である。本発明のテレビジョン制御システム１０は、携帯式電子装置１の中で実施され、テレビジョン２をリモートコントロールすることができる。携帯式電子装置１は、記憶装置１１、制御装置１２及び表示スクリーン１３を備える。携帯式電子装置１は、スマートフォン、タブレットパソコンなどであることができる。
【００１２】
記憶装置１１は、スマートメディアカード（ｓｍａｒｔ  ｍｅｄｉａ  ｃａｒｄ）、セキュアデジタルカード（ｓｅｃｕｒｅ  ｄｉｇｉｔａｌ  ｃａｒｄ）、フラッシュカード（ｆｌａｓｈ  ｃａｒｄ）などであり、異なる生産メーカー、異なる型番のテレビジョンのリモートコントロールソフトウェアを格納するために用いられる。制御装置１２は、中央処理装置などであることができる。表示装置１３は、携帯電話のタッチスクリーンなどであり、イメージを表示するために用いられる。
【００１３】
本実施形態において、テレビジョン制御システム１０が備える複数のモジュールは、記憶装置１１に格納されて制御装置１２によって実行される。図３に示されたように、テレビジョン制御システム１０は、電源制御モジュール１００、型番選択モジュール１０１、表示モジュール１０２及び通信モジュール１０３を備える。本発明のモジュールは、特定機能を完成できるプログラムセグメントである。
【００１４】
以下、図４を参照してテレビジョン制御システム１０が備える複数のモジュールの機能を説明する。図４は、本発明の実施形態に係るテレビジョン制御方法のフローチャートである。
【００１５】
ステップＳ１０：テレビジョン制御システム１０を開けて使用する。テレビジョン制御システム１０のショートカットアイコンは、携帯式電子装置１の表示スクリーン１３に配置することができ、ユーザーはこのショートカットアイコンをクリックしてテレビジョン制御システム１０を開けて使用する。
【００１６】
ステップＳ１１：電源制御モジュール１００はテレビジョン２をパワーオンするか又はパワーオフするかを判断する。
【００１７】
図５は、テレビジョン制御システム１０のユーザーインターフェースを示す図である。テレビジョン制御システム１０のユーザーインターフェースは、電源制御ボタン２００、静音制御ボタン２０１、型番選択ボタン２０２及びリモートコントロールインターフェース２０３を備える。テレビジョン制御システム１０のショートカットアイコンをクリックすると、図５に示されたテレビジョン制御システム１０のユーザーインターフェースが携帯式電子装置１の表示スクリーン１３に出現し、ユーザーがテレビジョン制御システム１０のユーザーインターフェースの電源制御ボタン２００をクリックすると、電源制御モジュール１００は、テレビジョン２をパワーオンする又はパワーオフすると判断する。もし電源制御モジュール１００はテレビジョン２をパワーオフすると判断すると、テレビジョン制御方法の流れは終了する。
【００１８】
ステップＳ１２：電源制御モジュール１００は、テレビジョン２をパワーオンすると判断すると、テレビジョン２の信号受信ユニット２０に信号を送信して、テレビジョン２の電源をＯＮにする。本実施形態において、電源制御モジュール１００はテレビジョン２にブルートゥース信号を送信することができる。
【００１９】
ステップＳ１３：型番選択モジュール１０１はテレビジョン２の型番を選択するか否かを判断する。ユーザーがテレビジョン制御システム１０のユーザーインターフェースの型番選択ボタン２０２をクリックすると、型番選択モジュール１０１はテレビジョン２の型番を選択すると判断する。
【００２０】
ステップＳ１４：型番選択モジュール１０１は、テレビジョン２の型番を選択すると判断した場合、ユーザーにテレビジョン型番リストを提供して、ユーザーがテレビジョン型番リストから選択したテレビジョン型番を受信する。
【００２１】
ステップＳ１５：型番選択モジュール１０１は、記憶装置１１からユーザーが選択したテレビジョン型番に対応するリモートコントロールソフトウェアを選択するために、図５に示されたように、表示モジュール１０２は表示スクリーン１３にリモートコントロールソフトウェアのリモートコントロールインターフェース２０３を表示する。もしステップＳ１３において、型番選択モジュール１０１が、テレビジョン２の型番を選択しないと判断した場合、表示モジュール１０２は表示スクリーン１３に黙認したリモートコントロールインターフェース２０３を表示する。黙認したリモートコントロールインターフェース２０３は、初期化設定する時に設定されたあるテレビジョン型番に対応するリモートコントロールインターフェースであることができ、又はユーザーが前回に選択したテレビジョン型番に対応するリモートコントロールインターフェースであることができる。
【００２２】
ステップＳ１６：通信モジュール１０３は、ユーザーが表示スクリーン１３に表示されるリモートコントロールインターフェース２０３のどのボタンを選択するかに基いて、テレビジョン２の信号受信ユニット２０に対応する信号を送信して、テレビジョン２を制御してテレビ番組を切り換える又は音声を調節する。通信モジュール１０３が送信する信号はブルートゥース信号であることができる。
【符号の説明】
【００２３】
１  携帯式電子設備
２  テレビジョン
１０  テレビジョン制御システム
１１  記憶装置
１２  制御装置
１３  表示スクリーン
１００  電源制御モジュール
１０１  型番選択モジュール
１０２  表示モジュール
１０３  通信モジュール
２００  電源制御ボタン
２０１  音声制御ボタン
２０２  型番選択ボタン
２０３  リモートコントロールインターフェース
【図１】
2014121090.tif 000003
【図２】
2014121090.tif 000004
【図３】
2014121090.tif 000005
【図４】
2014121090.tif 000006
【図５】
2014121090.tif 000007